【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
トランジスタのゲート−ソース間に接続されたサンプリング用コンデンサと、前記トランジスタのドレインとを基準電流源に接続し、前記トランジスタを前記基準電流源の基準電流により駆動した際の前記ゲート−ソース間の電圧に前記サンプリング用コンデンサの両端電圧を設定した後、
前記サンプリング用コンデンサ、前記トランジスタと前記基準電流源との接続を遮断すると共に、前記トランジスタのドレインを駆動対象に接続し、前記サンプリング用コンデンサに設定された前記ゲート−ソース間の電圧による前記トランジスタの電流で前記駆動対象を駆動する
ことを特徴とする定電流回路。
【請求項２】
前記サンプリング用コンデンサの両端電圧を設定する期間と、前記駆動対象を駆動する期間とを繰り返す
ことを特徴とする請求項１に記載の定電流回路。
【請求項３】
マトリックス状に画素を配置してなる表示部と、前記表示部の画素をゲート線により順次選択する垂直駆動回路と、前記ゲート線により選択された画素を前記表示部の信号線により駆動する水平駆動回路とを一体に基板上に形成してなるフラットディスプレイ装置において、
前記水平駆動回路は、
前記画素の階調を示す階調データをディジタルアナログ変換処理するディジタルアナログ変換回路と、
前記ディジタルアナログ変換回路の出力信号により前記信号線を駆動するバッファ回路とを有し、
前記バッファ回路は、
トランジスタのソースに定電流回路を接続してなるソースフォロワ回路により前記信号線を駆動し、
前記定電流回路は、
トランジスタのゲート−ソース間に接続されたサンプリング用コンデンサと、前記トランジスタのドレインとを基準電流源に接続し、前記トランジスタを前記基準電流源の基準電流により駆動した際の前記ゲート−ソース間の電圧に前記サンプリング用コンデンサの両端電圧を設定した後、
前記サンプリング用コンデンサ、前記トランジスタと前記基準電流源との接続を遮断すると共に、前記トランジスタのドレインを駆動対象に接続し、前記サンプリング用コンデンサに設定された前記ゲート−ソース間の電圧による前記トランジスタの電流で前記駆動対象を駆動する
ことを特徴とするフラットディスプレイ装置。
【請求項４】
前記定電流回路は、
前記サンプリング用コンデンサの両端電圧を設定する期間と、前記駆動対象を駆動する期間とを繰り返し、
前記サンプリング用コンデンサの両端電圧を設定する期間が、前記表示部のプリチャージの期間に設定された
ことを特徴とする請求項３に記載のフラットディスプレイ装置。
【手続補正２】
【補正対象書類名】明細書
【補正対象項目名】０００５
【補正方法】変更
【補正の内容】
【０００５】
しかしながらこの種の液晶表示装置に適用されるアクティブ素子であるＴＦＴは、特性のばらつきが大きい欠点があり、これによりこのようなアクティブ素子によるトランジスタを用いて図１９及び図２０に示す定電流回路を構成した場合、トランジスタＱ１、Ｑ４で設定される基準電流がばらつき、さらにこの基準電流に対してトランジスタＱ３に流入させる電流、トランジスタＱ６より流出させる電流がばらつく問題がある。
【手続補正３】
【補正対象書類名】明細書
【補正対象項目名】００２６
【補正方法】変更
【補正の内容】
【００２６】
またこの定電流回路２６は、ＮＭＯＳトランジスタＱ１４のゲート−ソース間に、サンプリング用コンデンサＣ３が設けられ、ＰＭＯＳトランジスタＱ１３による基準電流をこのサンプリング用コンデンサＣ３に流入させるスイッチ回路２７が設けられるようになされている。定電流回路２６において、このスイッチ回路２７は、所定のタイミング信号Ｎｃｎｔ２によりオン動作し、ＰＭＯＳトランジスタＱ１３による基準電流をＮＭＯＳトランジスタＱ１４に流している状態の、ＮＭＯＳトランジスタＱ１４のゲート−ソース間電圧Ｖｇｓをサンプリング用コンデンサＣ３にサンプリングするようになされ、またその後、オフ状態に切り換わって、このサンプリング用コンデンサＣ３にサンプリングしてなるゲート−ソース間電圧Ｖｇｓを保持するようになされている。
【手続補正４】
【補正対象書類名】明細書
【補正対象項目名】００２７
【補正方法】変更
【補正の内容】
【００２７】
この定電流回路２８は、スイッチ回路２３を介して、このＮＭＯＳトランジスタＱ１４のドレインが、バッファ回路を構成するＮＭＯＳトランジスタＱ１１のソースに接続され、このスイッチ回路２３は、所定のタイミング信号Ｎａｃｔにより、サンプリング用コンデンサＣ３でＮＭＯＳトランジスタＱ１４のゲート−ソース間電圧Ｖｇｓをサンプリングし、さらにタイミング信号ｘＮｃｎｔ１によりＰＭＯＳトランジスタＱ１３から基準電流が出力されなくなった後、オン状態に切り換わるように設定され、これによりサンプリング用コンデンサＣ３でサンプリングしたゲート−ソース間電圧Ｖｇｓによる電流をトランジスタＱ１１より流出させるようになされている。
【手続補正５】
【補正対象書類名】明細書
【補正対象項目名】００２８
【補正方法】変更
【補正の内容】
【００２８】
しかして図６は、この定電流回路２６の制御に係るタイミング信号ｘＮｃｎｔ１、Ｎａｃｔ、Ｎｃｎｔ２と各スイッチ回路２７、２８、トランジスタＱ１３の遷移を示すタイムチャートである。この定電流回路２６は、初期状態である動作を開始した直後においては、図１（Ｂ）に示すように、タイミング信号ｘＮｃｎｔ１がＬレベルに保持されてトランジスタＱ１３がオフ状態に保持され（図６（Ａ）及び（Ｂ））、またタイミング信号Ｎａｃｔ、Ｎｃｎｔ２がそれぞれＨレベル、Ｌレベルに保持され、これによりスイッチ回路２７、２８がそれぞれオフ状態、オン状態に保持される（図６（Ｃ）〜（Ｆ））。これにより定電流回路２６は、この場合、何らトランジスタＱ１１から電流を流出させない状態に保持される。
【手続補正６】
【補正対象書類名】明細書
【補正対象項目名】００２９
【補正方法】変更
【補正の内容】
【００２９】
定電流回路２６は、所定のタイミングでこれらタイミング信号ｘＮｃｎｔ１、Ｎａｃｔ、Ｎｃｎｔ２の論理値が同時に切り換わり、これにより図１（Ｃ）に示すように、スイッチ回路２７、２８がそれぞれオン状態、オフ状態に動作を切り換え、またトランジスタＱ１３が動作を開始して基準電流の出力を開始する。これにより定電流回路２６は、トランジスタＱ１３による基準電流Ｉ１がサンプリング用コンデンサＣ３を充電すると共に、トランジスタＱ１４を介して流出する。このサンプリング用コンデンサＣ３の充電電流においては、充電によりサンプリング用コンデンサＣ３の両端電圧が上昇するに従って徐々に減少し、トランジスタＱ１４から基準電流Ｉ１を流出させるに必要な、トランジスタＱ１４のゲート−ソース間電圧Ｖｇｓとなると、サンプリング用コンデンサＣ３に充電電流が流入しなくなり、この状態ではトランジスタＱ１３による基準電流Ｉ１のその全てがトランジスタＱ１４に流入することになる。これにより定電流回路２６では、基準電流Ｉ１をトランジスタＱ１４に流入させながら、このトランジスタＱ１４のゲート−ソース間に接続されたサンプリング用コンデンサＣ３を基準電流Ｉ１により充電することにより、トランジスタＱ１４に基準電流Ｉ１を流入させるに必要なトランジスタＱ１４のゲート−ソース間電圧Ｖｇｓをサンプリング用コンデンサＣ３に設定するようになされている。
【手続補正７】
【補正対象書類名】明細書
【補正対象項目名】００３４
【補正方法】変更
【補正の内容】
【００３４】
またその後、期間Ｔ３だけ経過して定電流回路２６が定電流回路としての機能を開始すると、図８に示すように、スイッチ回路３１、３２、３３がオン状態に切り換わる。なお図７においては、各スイッチ回路２２、３１〜３５を制御するタイミング信号Ｎ１〜Ｎ５の立ち上がりにより、オン状態を示す。これによりアナログバッファ回路２０では、この状態でのトランジスタＱ１１のゲート−ソース間電圧ＶｏｓＡをコンデンサＣ１、Ｃ２でサンプリングし、ソースフォロワにより動作する際のオフセットを検出するようになされている。
【手続補正８】
【補正対象書類名】明細書
【補正対象項目名】００３５
【補正方法】変更
【補正の内容】
【００３５】
また続いて図９に示すように、スイッチ回路３１、３３がオフ状態に切り換えられ、スイッチ回路３５がオン状態に切り換えられる。これによりアナログバッファ回路２０では、入力で電圧Ｖｉｎに対して、コンデンサＣ１にサンプリングされている電圧ＶｏｓＡの分、トランジスタＱ１１のゲート電圧をオフセットさせた状態にて定電流回路２６による電流でトランジスタＱ１１が動作し、この状態におけるトランジスタＱ１１のゲート−ソース間電圧ＶｏｓＢをＣ２でサンプリングする。これによりトランジスタＱ１１のソース電圧は、Ｖｉｎ＋（ＶｏｓＡ−ＶｏｓＢ）となる。これによりこのアナログバッファ回路２０は、コンデンサＣ１で先に検出したオフセット電圧をキャンセルするようにした状態で、さらにソースフォロワにより動作する際のオフセットをコンデンサＣ２により検出するようになされている。
【手続補正９】
【補正対象書類名】明細書
【補正対象項目名】００３７
【補正方法】変更
【補正の内容】
【００３７】
しかして図１１により示す状態において、アナログバッファ回路２０は、トランジスタＱ１１より定電流回路２６及び信号線ＬＳにソース電流を出力し、このソース電流の出力により保持容量４を充電する。またこの保持容量４の充電によりソース電位が上昇すると、その分、トランジスタＱ１１からのソース電流出力を徐々に低下させ、ソース電位が入力電位Ｖｉｎと等しくなると、ソース電流の信号線ＬＳの出力が停止され、ソース電流を定電流回路２６にだけ出力するようになされ、これにより入力信号Ｖｉｎに応じて対応する信号線ＬＳを駆動するようになされている。
【手続補正１０】
【補正対象書類名】明細書
【補正対象項目名】００５９
【補正方法】変更
【補正の内容】
【００５９】
この実施の形態のようにＰＭＯＳにより定電流回路を構成する場合でも、実施例１と同一の効果を得ることができる。